(57)【特許請求の範囲】
【請求項１】
ローカルネットワーク上の端末のためにインターネット接続を行うためのゲートウェイ装置であって、
当該ゲートウェイ装置に接続されているブラウザ端末（以下、「ＰＣ」と記す）のＩＰアドレスと内線電話機の識別子とを対応付けて格納した端末識別子記憶手段と、
インターネット上の任意のＷＷＷ(World Wide Web)サイトの情報の全てあるいは一部を取得するサイト情報取得手段と、
前記サイトの情報から、該情報の概要と該情報が存在するＵＲＬの組を１レコードとした複数のレコードから構成されるサマリを生成し、サマリ記憶手段に格納するサマリ生成手段と、
当該ゲートウェイ装置に接続される内線電話機から前記サマリの情報提供要求を取得すると、前記サマリ記憶手段から前記サマリを該内線電話機に提供するサマリ送信手段と、
前記内線電話機から前記サマリに対するレコード指定要求を取得すると、該レコード指定要求のレコードのインデックスを該レコードのＵＲＬと共にレコードインデックス記憶手段に格納する手段と、
前記内線電話機と組になっているＰＣからのＨＴＴＰ（Hyper Text Transfer Protocol）による情報取得要求を受信すると、前記レコードインデックス記憶手段に格納されているインデックスに対応するレコードのＵＲＬをＨＴＴＰのリダイレクトレスポンスで返送する手段と、
を有することを特徴とするゲートウェイ装置。
【請求項２】
ゲートウェイ装置と、該ゲートウェイ装置の配下にあり、事前に該ゲートウェイ装置で内線電話機の識別情報とリダイレクト機能を持つブラウザ端末（以下、「ＰＣ」と記す）と、該ＰＣのＩＰアドレスで紐付けられている内線電話機と、を有し、該ゲートウェイ装置、該内線電話機及び該ＰＣがインターネット等のＷＥＢサーバにアクセスできる通信システムであり、該ＰＣ上のブラウザ装置が該ゲートウェイ装置上の特定のｈｔｔｐサーバ部のＵＲＬにアクセスしているシステムにおいて、
前記ゲートウェイ装置が、
前記ＷＥＢサーバにアクセスしてｈｔｔｐ情報を取得し、取得した情報を解析加工してヘッドラインを複数まとめて、それぞれのヘッドラインにタグ情報が付与されたヘッドライン一覧を作成し、格納するステップと、
前記内線電話機が、
前記ゲートウェイ装置へヘッドライン一覧を取得要求を送出し、それに応じてヘッドライン一覧を内線電話機が取得するステップと、
前記ヘッドライン一覧からタグ情報が付与されたヘッドラインを複数抽出し、ヘッドラインを１件または複数件表示できるデータに変換して該ヘッドラインを１件または複数件表示するステップと、
前記内線電話機に表示されているヘッドラインの中で詳細を見たいヘッドラインが選択されると、選択されたヘッドラインのタグ情報を当該内線電話機とＰＣを紐付した情報と共に前記ゲートウェイ装置に通知するステップと、
前記ゲートウェイ装置が、
受信した前記タグ情報と前記紐付した情報に基づいて、格納された前記ヘッドライン一覧から当該ヘッドラインに対応するＷＥＢサーバのＵＲＬ及び該紐付した情報に対応するＰＣのＩＰアドレスを検索し、当該ゲートウェイ装置上のｈｔｔｐサーバ部において、前記ＰＣのブラウザに対し、当該ヘッドラインに対応するＷＥＢサーバにアクセスできるようにリダイレクトを指示するレスポンスを送信することにより、該ＵＲＬに対応するＷＥＢページを表示させるステップと、
を行うことを特徴とするＰＣ上のブラウザ表示方法。
【請求項３】
ゲートウェイ装置と、前記ゲートウェイ装置の配下にあり、識別子を持つ内線電話機と、リダイレクト機能を持つブラウザ端末（以下、「ＰＣ」と記す）と、を有し、該ゲートウェイ装置、該内線電話機及び該ＰＣがインターネット等のＷＥＢサーバにアクセスできる通信システムであり、該ＰＣ上のブラウザ装置が該ゲートウェイ装置上の特定のｈｔｔｐサーバ部のＵＲＬにアクセスしているシステムにおいて、
前記ゲートウェイ装置が、
前記ＷＥＢサーバにアクセスしてｈｔｔｐ情報を取得し、取得した情報を解析加工してヘッドラインを複数まとめて、それぞれのヘッドラインにタグ情報が付与されたヘッドライン一覧を作成し、格納するステップと、
前記内線電話機が、
前記ゲートウェイ装置へヘッドライン一覧の取得要求を送出し、それに応じてヘッドライン一覧を取得するステップと、
前記ヘッドライン一覧からタグ情報が付与されたヘッドラインを複数抽出し、ヘッドラインを１件または複数件表示できるデータに変換してヘッドラインを１件または複数件表示するステップと、
当該内線電話機に表示されているヘッドラインの中で詳細を見たいヘッドラインが選択されると、そのタグ情報を当該内線電話機の識別子と共に前記ゲートウェイ装置に通知するステップと、
前記ゲートウェイ装置が、
受信した前記タグ情報とＰＣからアクセスされているＵＲＬにより、該ＰＣを識別するとともに、格納された前記ヘッドライン一覧から当該ヘッドラインに対応するＷＥＢサーバのＵＲＬを検索し、当該ゲートウェイ装置上のｈｔｔｐサーバ部において、前記アクセスされたＰＣのブラウザに対し、当該ヘッドラインに対応するWEBサーバにアクセスできるようにリダイレクトを指示するレスポンスを送信することにより、該ＵＲＬに対応するＷＥＢページを表示させるステップと、
を行うことを特徴とするＰＣ上のブラウザ表示方法。
【請求項４】
請求項１記載のゲートウェイ装置を構成する各手段としてコンピュータを機能させるためのゲートウェイ制御プログラム。
【発明の詳細な説明】
【技術分野】
【０００１】
本発明は、ゲートウェイ装置及びＰＣ上のブラウザ表示方法及びゲートウェイ制御プログラムに係り、特に、インターネットアクセス可能で、ＷＷＷサイトを閲覧することができる端末で、複数のそのような端末相互間で、ＷＷＷサイトアクセスのためのＵＲＬを共有することによりＷＷＷサイトアクセスの利便性を向上させるためのゲートウェイ装置及びＰＣ上のブラウザ表示方法及びゲートウェイ制御プログラムに関する。
【背景技術】
【０００２】
インターネットにアクセスできるような端末間で、協調作業や会議などのために、同一のＷＷＷ（World Wide Web）サイト上の情報を閲覧するような使い方がなされることが多い。そのような場合、パーソナルコンピュータ（以下、「ＰＣ」と記す）同士であり、電子メールが使用できる環境にあれば、電子メールの本文に、共有したいＷＷＷサイトのＵＲＬを記載することによって、そのＵＲＬのコピーアンドペーストやメールソフトからのＷＷＷブラウザの呼び出しによって、同一のＷＷＷサイト上の情報を閲覧することが実現する。
【０００３】
また、遠隔会議システムのように、リアルタイムにＷＷＷサイト上の情報を共有したい場合には、遠隔会議サーバ装置を介して、ＷＷＷサイト上の情報のＵＲＬを閲覧する端末相互で交換し、情報の閲覧を実現する技術がある（例えば、特許文献１）。
【特許文献１】特開２００３−２７１４９８号公報
【発明の開示】
【発明が解決しようとする課題】
【０００４】
しかしながら、上記特許文献１の技術によれば、専用の端末、もしくは専用の端末と、その端末相当の動作を行うためのアプリケーションを搭載したＰＣと、端末間のＵＲＬの受け渡しを行うためのサーバが必要となる。よって、例えば、上記の技術における端末で表示中のＷＷＷサイトの情報を、システムに組み込まれていないＰＣ上で動作するＷＷＷブラウザで利用するために、ＵＲＬ情報を受け渡しすることができないという問題がある。
【０００５】
本発明は、上記の点に鑑みなされたもので、専用の装置や専用のアプリケーションソフトウェアをインストールしたＰＣから、ＷＷＷブラウザがインストールされているだけの汎用のＰＣにＷＷＷサイトのＵＲＬを伝え、そのＰＣでＷＷＷサイトの情報を閲覧することが可能なゲートウェイ装置及びＰＣ上のブラウザ表示方法及びゲートウェイ制御プログラムを提供することを目的とする。
【課題を解決するための手段】
【０００６】
図１は、本発明の原理構成図である。
【０００７】
本発明（請求項１）は、ローカルネットワーク上の端末のためにインターネット接続を行うためのゲートウェイ装置であって、
当該ゲートウェイ装置に接続されているブラウザ端末（以下、「ＰＣ」と記す）のＩＰアドレスと内線電話機の識別子とを対応付けて格納した端末識別子記憶手段と、
インターネット上の任意のＷＷＷ(World Wide Web)サイトの情報の全てあるいは一部を取得するサイト情報取得手段１０３と、
サイトの情報から、該情報の概要と該情報が存在するＵＲＬの組を１レコードとした複数のレコードから構成されるサマリを生成し、サマリ記憶手段１０６に格納するサマリ生成手段１０２と、
当該ゲートウェイ装置に接続される内線電話機からサマリの情報提供要求を取得すると、サマリ記憶手段１０６からサマリを該内線電話機に提供するサマリ送信手段と、
内線電話機からサマリに対するレコード指定要求を取得すると、該レコード指定要求のレコードのインデックスを該レコードのＵＲＬと共にレコードインデックス記憶手段に格納する手段と、
内線電話機と組になっているＰＣからのＨＴＴＰ（Hyper Text Transfer Protocol）による情報取得要求を受信すると、レコードインデックス記憶手段に格納されているインデックスに対応するレコードのＵＲＬをＨＴＴＰのリダイレクトレスポンスで返送する手段と、
を有する。
【０００８】
本発明（請求項２）は、ゲートウェイ装置と、該ゲートウェイ装置の配下にあり、事前に該ゲートウェイ装置で内線電話機の識別情報とリダイレクト機能を持つブラウザ端末（以下、「ＰＣ」と記す）と、を有し、該ＰＣのＩＰアドレスで紐付けられている内線電話機と、該ゲートウェイ装置、該内線電話機及び該ＰＣがインターネット等のＷＥＢサーバにアクセスできる通信システムであり、該ＰＣ上のブラウザ装置が該ゲートウェイ装置上の特定のｈｔｔｐサーバ部のＵＲＬにアクセスしているシステムにおいて、
ゲートウェイ装置が、
ＷＥＢサーバにアクセスしてｈｔｔｐ情報を取得し、取得した情報を解析加工してヘッドラインを複数まとめて、それぞれのヘッドラインにタグ情報が付与されたヘッドライン一覧を作成し、格納するステップと、
内線電話機が、
ゲートウェイ装置へヘッドライン一覧を取得要求を送出し、それに応じてヘッドライン一覧を内線電話機が取得するステップと、
ヘッドライン一覧からタグ情報が付与されたヘッドラインを複数抽出し、ヘッドラインを１件または複数件表示できるデータに変換して該ヘッドラインを１件または複数件表示するステップと、
内線電話機に表示されているヘッドラインの中で詳細を見たいヘッドラインが選択されると、選択されたヘッドラインのタグ情報を当該内線電話機とＰＣを紐付した情報と共にゲートウェイ装置に通知するステップと、
ゲートウェイ装置が、
受信したタグ情報と紐付した情報に基づいて、格納されたヘッドライン一覧から当該ヘッドラインに対応するＷＥＢサーバのＵＲＬ及び該紐付した情報に対応するＰＣのＩＰアドレスを検索し、当該ゲートウェイ装置上のｈｔｔｐサーバ部において、ＰＣのブラウザに対し、当該ヘッドラインに対応するＷＥＢサーバにアクセスできるようにリダイレクトを指示するレスポンスを送信することにより、該ＵＲＬに対応するＷＥＢページを表示させるステップと、を行う。
【０００９】
本発明（請求項３）は、ゲートウェイ装置と、ゲートウェイ装置の配下にあり、識別子を持つ内線電話機と、リダイレクト機能を持つブラウザ端末（以下、「ＰＣ」と記す）と、を有し、該ゲートウェイ装置、該内線電話機及び該ＰＣがインターネット等のＷＥＢサーバにアクセスできる通信システムであり、該ＰＣ上のブラウザ装置が、該ゲートウェイ装置上の特定のｈｔｔｐサーバ部のＵＲＬにアクセスしているシステムにおいて、
ゲートウェイ装置が、
ＷＥＢサーバにアクセスしてｈｔｔｐ情報を取得し、取得した情報を解析加工してヘッドラインを複数まとめて、それぞれのヘッドラインにタグ情報が付与されたヘッドライン一覧を作成し、格納するステップと、
内線電話機が、
ゲートウェイ装置へヘッドライン一覧の取得要求を送出し、それに応じてヘッドライン一覧を取得するステップと、
ヘッドライン一覧からタグ情報が付与されたヘッドラインを複数抽出し、該ヘッドラインを１件または複数件表示できるデータに変換し、該ヘッドラインを１件または複数件表示するステップと、
当該内線電話機に表示されているヘッドラインの中で詳細を見たいヘッドラインが選択されると、そのタグ情報を当該内線電話機の識別子と共にゲートウェイ装置に通知するステップと、
ゲートウェイ装置が、
受信したタグ情報とＰＣからアクセスされているＵＲＬにより、該ＰＣを識別するとともに、格納されたヘッドライン一覧から当該ヘッドラインに対応するＷＥＢサーバのＵＲＬを検索し、当該ゲートウェイ装置上のｈｔｔｐサーバ部において、アクセスされたＰＣのブラウザに対し、当該ヘッドラインに対応するＷＥＢサーバにアクセスできるようにリダイレクトを指示するレスポンスを送信することにより、該ＵＲＬに対応するＷＥＢページを表示させるステップと、を行う。
【００１１】
本発明（請求項４）は、請求項１記載のゲートウェイ装置を構成する各手段としてコンピュータを機能させるためのゲートウェイ制御プログラムである。
【発明の効果】
【００１２】
上記のように本発明によれば、専用の装置や専用のアプリケーションソフトウェアをインストールしたＰＣから、ＷＷＷブラウザがインストールされているだけの汎用のＰＣにＷＷＷサイトのＵＲＬを伝えることにより、そのＰＣでＷＷＷサイトの情報を閲覧することができる。
【発明を実施するための最良の形態】
【００１３】
以下、図面と共に本発明の実施の形態を説明する。
【００１４】
図２は、本発明の一実施の形態におけるシステム構成を示す。
【００１５】
同図にシステムシステムは、アクセス元（ＳＯＨＯ，自宅等）のゲートウェイ装置１００とＷｅｂサーバ３００がインターネット等のネットワーク２００に接続されており、ゲートウェイ装置１００は、内線電話機１１０、ＰＣ１２０に接続されている。なお、本実施の形態では、内線電話機１１０を用いた例を示すが、電話機に限定されることなく、端末としては、本発明が適用可能な専用のアプリケーションソフトウェアがインストールされたＰＣであってもよい。
【００１６】
内線電話機１１０は、ＧＷ装置１００に接続され、電話サービス（音声の発着信、通話）を行い、ＧＷ装置１００からの制御により、図３に示す、ディスプレイ１１１にテキストや画像からなる情報を表示し，ボタン１１２，１１３，１１４を備えて、利用者からの入力をＧＷ装置１００に通知する機能を有する。
【００１７】
内線電話機１１０のディスプレイ１１１は、内線電話機１１０の情報や状態、カレンダなどの他、ＧＷ装置１００と通信を行うことによっていろいろな表示を行う。
【００１８】
カーソルボタン１１３は、ディスプレイ１１１上のカーソル表示を移動させるための操作を入力するためのものでる。
【００１９】
カーソル表示１１６は、ディスプレイ１１１上の表示の１種であり、カーソルボタン１１３の操作によりディスプレイ１１１上を移動する。表示項目に下線を合わせて表示することにより、当該項目を指し示していることを示す。下線の代わりに当該項目を反転表示する、または、色を変えるようにしてもよい。
【００２０】
決定ボタン１１４は、カーソル表示で選択された項目を選択する、ということを指示するために押下されるボタンである。
【００２１】
送受話器１１５は、電話として利用する際に、音声の入出力を行う。
【００２２】
ダイヤルボタン１１２は、電話として利用する際に、相手を指定する電話番号を入力するボタンである。
【００２３】
ＰＣ１２０は、Ｗｅｂブラウザアプリケーションが動作し、Ｗｅｂサーバ３００やＧＷ装置１００に対してHTTP(Hyper Text Transfer Protocol)でアクセスすることにより、利用者にサービスを提供する。
【００２４】
Ｗｅｂサーバ３００は、ネットワーク２００を介してＧＷ装置１００やＰＣ１２０と通信可能であり、ＵＲＬにより各種情報の提供を行うサーバである。
【００２５】
ネットワーク２００は、ＩＰ(Internet Protocol)により通信を行う。例えば、インターネットなどである。
【００２６】
ゲートウェイ装置（以下、「ＧＷ装置」と記す）１００は、利用者宅において、ネットワーク２００とのインタフェースをとり、後述するＵＲＬ共有のための処理を行い、ネットワーク２００と接続し、ＰＣ１２０とＷｅｂサーバ３００との間で通信を行えるようなＩＰルーティング機能を有する。
【００２７】
図４は、本発明の一実施の形態におけるゲートウェイ装置の構成を示す。
【００２８】
ゲートウェイ装置１００は、内線電話機制御部１０１、コンテンツ処理部１０２、ＨＴＴＰサーバ部１０３、ルーティング部１０４、イーサネットインタフェース（Ｉ／Ｆ）１０５、ヘッドライン一覧ＤＢ１０６，装置識別子ＤＢ１０７から構成される。
【００２９】
内線電話制御部１０１は、内線電話機１１０との通信を行い、電話サービス、内線電話１１０へ表示すべき情報の通知、内線電話機１１０からの制御の受付を行う。
【００３０】
コンテンツ処理部１０２は、Ｗｅｂサーバ３００と通信し、Ｗｅｂサーバ３００より情報を受信して、内線電話制御部１０１やＨＴＴＰサーバ部１０３で利用できるように加工して蓄積する。
【００３１】
ＨＴＴＰサーバ部１０３は、ＰＣ１２０と通信し、ＰＣ１２０からのＨＴＴＰアクセスに対して、ＧＷ装置１００内部のデータの設定、ＰＣ１２０が後述する手順により取得すべき情報の場所への誘導を行う。
【００３２】
ルーティング部１０４は、ＰＣ１２０や内線電話機１１０、ＧＷ装置１００内部の内部電話機制御部１０１、コンテンツ処理部１０２、ＨＴＴＰサーバ部１０３、Ｗｅｂサーバ３００が相互に通信できるようなＩＰルーティング制御を行う。
【００３３】
イーサネットＩ／Ｆ１０５は、内線電話機１１０やＰＣ１２０、ネットワーク２００との物理的インタフェースである。
【００３４】
ヘッドライン一覧ＤＢ１０６は、Ｗｅｂサーバ３００から取得した情報からディスプレイ１１１に表示可能なヘッドラインの形式に加工された情報、当該ヘッドラインに対応する詳細情報が存在するＵＲＬを１レコードとし、各レコード毎にレコードインデックス（ヘッドライン番号）が付与される。
【００３５】
装置識別子ＤＢ１０７は、ＰＣ１２０のＩＰアドレスと内線電話機１１０の識別子を対応付けて保持する。
【００３６】
次に、上記の構成におけるシステムの動作を説明する。
【００３７】
図５は、本発明の一実施の形態における動作のシーケンスチャートである。
【００３８】
ステップ１０１）  まず、ＰＣ１２０は、内線電話機１１０と共に利用者の机上などに置かれ、双方が組み合わされて色々な機能を提供するために使用する。そのために、そのＰＣ１２０が、内線電話機１１０と組になって動作するということを、ＧＷ装置１００に対して登録する。ＰＣ１２０は、ＷｅｂブラウザによりＧＷ装置１００のＨＴＴＰサーバ部１０３と通信し、ＨＴＴＰ，ＨＴＭＬを利用して組として使用したい内線電話機の識別子を登録する。識別子としては内線番号などを使用する。
【００３９】
ステップ１０２）  ＧＷ装置１００のＨＴＴＰサーバ部１０３は、ＰＣ１２０からの登録要求を受け取り、ＰＣ１２０と内線電話機１１０の関連付けであることを認識し、その結果を内線電話機制御部１０１に通知する。このとき、内線電話機の内線番号と、ＰＣ１２０からの関連付け要求が通知されたＩＰパケットのソースＩＰアドレスを通知する。内線電話機制御部１０１は、内線電話機１１０の内線番号とＰＣ１２０のソースＩＰアドレスを対応付けて装置識別子ＤＢ１０７に記憶しておく。
【００４０】
ステップ１０３）  ＧＷ装置１００のコンテンツ処理部１０２は、Ｗｅｂサーバ３００より情報を受信し、内線電話機１１０のディスプレイ１１１に表示する。コンテンツ処理部１０２は、ネットワーク２００を介してＷｅｂサーバ３００と通信を行い、ＨＴＴＰによりニュースなどの情報を取得する。この情報は、通常のＷＷＷにより提供されるようなニュースサイトのページ情報でもよいし、ＲＳＳ（RDS Site Summary）によるニュースの一覧でもよい。
【００４１】
ステップ１０４）  コンテンツ処理部１０２は、この情報を解析・加工し、ヘッドライン一覧とする。このヘッドライン一覧は、例えば、図６のような形式でデータベース化し、ヘッドライン一覧ＤＢ１０６に保持される。すなわち、ヘッドラインとして表示すべき文字列と、そのヘッドラインに対応する詳細情報が保持されているＵＲＬの組と、その組に対してのインデックスとなる番号を１レコードとしたものである。
【００４２】
ステップ１０５）  この状況で、内線電話機１１０よりＧＷ装置１００にヘッドライン一覧の取得要求を行う。このとき、内線電話機１１０の状態は、図３のようになり、利用者が、ディプレイ１１１の機能選択の「１．ニュースヘッドライン」にカーソルを合わせて、決定ボタン１１４を押下することにより、当該取得要求がＧＷ装置１００に送られる。また、特番（内線電話機１１０よりＧＷ装置１００に対して、他の内線端末や、外線への発信を行うためではなく、機能を要求するための特別な内線番号、例えば、内線ダイヤルトーン聴取中に「＊１２３」とダイヤルする）をダイヤルする操作としてもよい。この操作により、内線電話機１１０からＧＷ装置１００にヘッドライン一覧の取得要求が通知される。この信号は、ディスプレイ１１１の機能選択の「１.ニュースヘッドライン」にカーソルを合わせて決定ボタン１１４を押下することにより要求した場合には、ヘッドライン一覧の要求であることを示すＩＰパケットであり、特番をダイヤルする操作とした場合には、ＳＩＰによる発信要求（INVITEリクエスト）である。
【００４３】
ステップ１０６）  内線電話機制御部１０１は、上記のヘッドライン一覧要求を受信し、コンテンツ処理部１０２よりヘッドライン一覧を取得する。このとき、コンテンツ処理部１０２は、当該要求のレコードインデックス（「１．」）に基づいて、ヘッドライン一覧ＤＢ１０６より、ヘッドラインの文字列を取得して内線電話機制御部１０１に転送する。
【００４４】
ステップ１０７）  続いて、内線電話機制御部１０１は、コンテンツ処理部１０２により取得したヘッドラインデータを、内線電話機１１０で表示できるデータに変換する。
【００４５】
ステップ１０８）  内線電話機制御部１０１は、ヘッドラインデータを、内線電話機１１０に送信する。その電文例を図７に示す。
【００４６】
ステップ１０９）  内線電話機１１０は、内線電話機制御部１０１から送られた電文を受け、ディスプレイ１１１にヘッドラインを表示する。そのときの内線電話機１１０のディスプレイ１１１に表示された状態を図８に示す。
【００４７】
これにより、図８の例において、内線電話機１１０の利用者は、ニュースのヘッドラインを内線電話機のディプレイ１１１で見ることができるようになる。
【００４８】
さらに、利用者が、ヘッドラインとして表示されているニュースの詳細を、ＰＣ１２０を使ってより詳細に見たいと考える場合の動作について説明する。
【００４９】
図９は、本発明の一実施の形態における動作のシーケンスチャート（その２）である。
【００５０】
ステップ２０１）  利用者がＰＣ１２０を使ってより詳細を見たい場合、内線電話機１１０に表示されている詳細閲覧を希望するヘッドラインに、カーソルボタン１１３を使ってカーソルを合わせて決定ボタン１１４を押下する。この例では、「１．」のニュースを選択したこととする。そのときの画面状態は、図８のようになる。
【００５１】
ステップ２０２）  このような操作が行われると、内線電話機１１０は、ＧＷ装置１００にヘッドラインの番号（ここでは、「１」）を通知する。
【００５２】
ステップ２０３）  その信号を受信した内線電話機制御部１０１は、当該信号を発した内線電話機１１０の内線電話番号に対応するＰＣ１２０のＩＰアドレスを装置識別子ＤＢ１０７から検索することにより取得する。
【００５３】
ステップ２０４）  その結果得られるＩＰアドレスは、ヘッドラインの番号と共にコンテンツ処理部１０２に通知される。
【００５４】
ステップ２０５）  コンテンツ処理部１０２では、ヘッドラインの番号に基づいて、ヘッドライン一覧ＤＢ１０６から、当該ヘッドラインの詳細が存在するＵＲＬを検索する。
【００５５】
ステップ２０６）  その結果（ＵＲＬ）とＰＣ１２０のＩＰアドレスをＨＴＴＰサーバ部１０３に通知する。
【００５６】
ステップ２０７）  ＨＴＴＰサーバ部１０３では、その通知されたＵＲＬとＰＣ１２０のＩＰアドレスとを組み合わせてメモリ（図示せず）に保持する。
【００５７】
ステップ２０８）  利用者はヘッドラインとしてディスプレイ１１１に表示されているニュースの詳細を閲覧するために、上記の電話機１１０での操作後、ＰＣ１２０のＷｅｂブラウザを起動し、特定のＵＲＬ（ここでは、"http://gw/headline"）にＨＴＴＰでアクセスする。このＵＲＬは見たいヘッドライン情報によらず常に同一であるので、利用者の操作を簡単にするために、Ｗｅｂブラウザが起動すると、当該ＵＲＬにアクセスするようにＷｅｂブラウザを予め設定しておくとか、ブックマークに当該ＵＲＬを保存しておくことができる。
【００５８】
ステップ２０９）  この信号は、ＧＷ装置１００のＨＴＴＰサーバ部１０３に伝えられ解析される。
【００５９】
ステップ２１０）  その結果、前述のステップ２０４で通知されたＩＰアドレス（すなわち、内線電話機１１０と関連付けられたＰＣ１２０のＩＰアドレス）をソースＩＰアドレスとし、リクエストするＵＲＬが特定のＵＲＬ("http://gw/headline")であるということとなれば、利用者は、内線電話機１１０により選択したヘッドラインの詳細にアクセスしたいということと判断できる。
【００６０】
ステップ２１１）  そう判断されれば、ＨＴＴＰサーバ部１０３は、利用者が所望のヘッドラインの詳細が存在するＵＲＬにアクセスできるように、ＨＴＴＰにおけるリダイレクトを指示するレスポンスをＰＣ１２０に送信する。この信号においては、「301 Moved Permanently」というレスポンスであり、「Location:」ヘッダに、ステップ２０７でメモリ（図示せず）に格納されたヘッドラインの詳細が存在するＵＲＬが設定される。
【００６１】
ステップ２１２）  ＰＣ１２０のＷｅｂブラウザは、もともと具備している機能によって、その信号を解釈し、Locationヘッダに記載されているＵＲＬに自動的にリダイレクトする。
【００６２】
ステップ２１３）  これにより、ヘッドラインの詳細にアクセスできる。
【００６３】
ステップ２１４）  ＰＣ１２０では、Ｗｅｂサーバ３００より所望の情報がＨＴＴＰレスポンスで返送され、ヘッドラインの詳細がＷｅｂブラウザに表示される。
【００６４】
［第２の実施の形態］
本実施の形態におけるシステム構成及び、電話機及びＧＷ装置の構成は、図２、図３、図４に示す構成と同様であるので、構成に関する説明は省略する。
【００６５】
動作については、利用者がヘッドラインとして表示されているニュースの詳細をＰＣ１２０を使ってより詳細に見たいと考えた場合の動作（ステップ２０２）までは同様である。
【００６６】
図１１、図１２は、本発明の第２の実施の形態における動作のシーケンスチャートである。
【００６７】
ステップ２０１）  利用者がＰＣ１２０を使ってより詳細な情報を見たい場合、対象とするヘッドラインに、カーソルボタン１１３を使ってカーソルを合わせて、決定ボタン１１４を押下する。この例では、「１．」のニュースを選択したこととする。そのときの画面の状態は、図８のようになる。
【００６８】
ステップ２０２）  上記のような操作がされると、内線電話機１１０は、ＧＷ装置１００にヘッドライン番号（ここでは「１」）を通知する。
【００６９】
ステップ３０１）  上記ヘッドライン番号が通知されたＧＷ装置１００の内線電話機制御部１０１は、内線電話機１１０の識別子（ここでは、「１０１」とする）とヘッドラインの番号をコンテンツ処理部１０２に通知する。
【００７０】
ステップ３０２）  コンテンツ処理部１０２では、ヘッドラインの番号から当該ヘッドラインの詳細が存在するＵＲＬをヘッドライン一覧ＤＢ１０６から検索する。
【００７１】
ステップ３０３）  当該検索結果（ＵＲＬ）と内線電話機の識別子をＨＴＴＰサーバ部１０３に通知する。
【００７２】
ステップ３０４）  ＨＴＴＰサーバ部１０３では、その通知を受け取ると、ＵＲＬと内線電話機１１０の識別子を組み合わせてメモリ（図示せず）に保持し、ＧＷ装置１００によるニュース詳細表示のためのＵＲＬ（ここでは、"http://gw/headline/101/"）を生成する。
【００７３】
ステップ３０５）  利用者は、ヘッドラインとしてディスプレイ１１１に表示されているニュースの詳細を閲覧するために、上記の電話機１１０での操作後、ＰＣ１２０のＷｅｂブラウザを起動し、前述のＧＷ装置１００によるニュース詳細表示のためのＵＲＬ（"http://gw/headline/0101/"）にＨＴＴＰでアクセスする。当該ＵＲＬは、閲覧を希望するヘッドライン情報によらず、内線電話機１１０毎に常に同一であるので、利用者の操作を簡単にするために、Ｗｅｂブラウザが起動すると、当該ＵＲＬにアクセスするようにＷｅｂブラウザを予め設定しておくとか、ブックマークを当該ＵＲＬに保存しておくことができる。
【００７４】
ステップ３０６）  当該信号は、ＧＷ装置１００のＨＴＴＰサーバ部１０３に通知される。
【００７５】
ステップ３０７）  ＨＴＴＰサーバ部１０３では、取得した信号を解析する。リクエストするＵＲＬが特定のＵＲＬ（"http://gw/headline/101/"）であるということとなれば、利用者は、内線電話機１１０により選択したヘッドラインの詳細にアクセスしたいということと判断できる。
【００７６】
ステップ３０８）  そう判断されれば、ＨＴＴＰサーバ部１０３は、利用者が所望の、ヘッドラインの詳細が存在するＵＲＬにアクセスできるように、ＨＴＴＰにおけるリダイレクトを指示するレスポンスをＰＣ１２０に送信する。この例では、「301 Moved Permanently」というレスポンスであり、「Location:」ヘッダにヘッドラインの詳細が存在するＵＲＬが記載されている。
【００７７】
ステップ３０９）  ＰＣ１２０のＷｅｂブラウザは、もともと具備している機能によって、その信号を解釈し、Locationヘッダに記載されているＵＲＬに自動的にリダイレクトする。
【００７８】
ステップ３１０）  ＰＣ１２０は、ヘッドラインの詳細にアクセスする。
【００７９】
ステップ３１１）  これにより、Ｗｅｂサーバ３００より所望の情報がＨＴＴＰレスポンスで返送される。
【００８０】
ステップ３１２）  返送されたレスポンスであるヘッドラインの詳細がＰＣ１２０のＷｅｂブラウザに表示される。
【００８１】
なお、上記の図４に示すＧＷ装置１００の各構成要素の動作をプログラムとして構築し、ＧＷ装置として利用されるコンピュータにインストールして実行させる、または、ネットワークを介して流通させることが可能である。
【００８２】
また、構築されたプログラムをハードディスクや、フレキシブルディスク・ＣＤ−ＲＯＭ等の可搬記憶媒体に格納し、コンピュータにインストールする、または、配布することが可能である。
【００８３】
なお、本発明は、上記の実施の形態に限定されることなく、特許請求の範囲内において種々変更・応用が可能である。
【産業上の利用可能性】
【００８４】
本発明は、インターネットアクセス可能なＷＷＷサイトを閲覧する端末が複数接続されたシステムに適用可能である。
【図面の簡単な説明】
【００８５】
【図１】本発明の原理構成図である。
【図２】本発明の第１の実施の形態におけるシステム構成図である。
【図３】本発明の第１の実施の形態における内線電話機（ヘッドライン表示用きゅ）の外観図である。
【図４】本発明の第１の実施の形態におけるゲートウェイ装置の構成図である。
【図５】本発明の第１の実施の形態における動作のシーケンスチャート（その１）である。
【図６】本発明の第１の実施の形態におけるヘッドライン一覧ＤＢの例である。
【図７】本発明の第１の実施の形態におけるヘッドライン送信電文例である。
【図８】本発明の第１の実施の形態における内線電話機（詳細を見たいヘッドライン選択）の表示例である。
【図９】本発明の第１の実施の形態における動作のシーケンスチャート（その２）である。
【図１０】本発明の第１の実施の形態における動作のシーケンスチャート（その３）である。
【図１１】本発明の第２の実施の形態における動作のシーケンスチャート（その１）である。
【図１２】本発明の第２の実施の形態における動作のシーケンスチャート（その２）である。
【符号の説明】
【００８６】
１００  ゲートウェイ装置
１０１  サマリ送信手段、内線電話機制御部
１０２  サマリ生成手段、コンテンツ処理部
１０３  サイト情報取得手段、ＨＴＴＰサーバ部
１０４  ルーティング部
１０５  イーサネットインタフェース
１０６  サマリ記憶手段、ヘッドライン一覧ＤＢ
１０７  装置識別子ＤＢ
１１０  内線電話機
１１１  ディスプレイ
１１２  ダイヤルボタン
１１３  カーソルボタン
１１４  決定ボタン
１１５  送受話器
１１６  カーソル表示
１２０  パーソナルコンピュータ（ＰＣ）
２００  ネットワーク
３００  Ｗｅｂサーバ
【図１】
0005016555.tif 000002
【図２】
0005016555.tif 000003
【図３】
0005016555.tif 000004
【図４】
0005016555.tif 000005
【図５】
0005016555.tif 000006
【図６】
0005016555.tif 000007
【図７】
0005016555.tif 000008
【図８】
0005016555.tif 000009
【図９】
0005016555.tif 000010
【図１０】
0005016555.tif 000011
【図１１】
0005016555.tif 000012
【図１２】
0005016555.tif 000013